(57)【要約】【課題】乗りかご内の乗客の乗り心地を損なうことなく、診断モードでない通常運転時においてもブレーキの制動力を診断することができるエレベータの制御装置およびエレベータの制御方法を得る。【解決手段】乗りかご（１）の走行開始前に、乗りかごの走行方向と同方向に予め第１トルク指令値をモータ（６）に印加させた状態で、ブレーキ（７）の制動力を徐々に開放して乗りかごを走行開始させ、走行開始時のブレーキコイルの電流値とアンバランストルクの値との整合性をチェックすることにより、ブレーキの制動力を診断する。【選択図】図１
2015127261.tif 000002
【特許請求の範囲】
【請求項１】
回転可能な綱車と、前記綱車を駆動するモータと、前記綱車の回転を制動するブレーキとを備えて構成される巻上機を有し、前記綱車に巻き掛けられた主ロープにより吊り下げられた乗りかごと釣り合い錘を、前記巻上機を制御することにより昇降させるエレベータの制御装置であって、
前記モータの回転位置または回転速度を検出する位置・速度検出器と、
前記位置・速度検出器により検出される前記モータの回転位置または回転速度が所望の応答となるように前記モータへのトルク指令値を制御するモータ制御部と、前記ブレーキのブレーキシューを吸引するブレーキコイルの電流を制御することにより前記ブレーキを制動または制動解除するブレーキ制御部とを有するとともに、前記乗りかごの通常運転時に前記ブレーキの制動力を診断する制御部と、
前記乗りかごの重量と前記釣り合い錘の重量とのアンバランストルクを、前記トルク指令値、実トルク値、前記モータの電流値のトルク成分値、または前記モータの電流指令値のトルク成分値のいずれか１つに基づいて演算するアンバランストルク演算手段と
を備え、
前記制御部は、
前記乗りかごの走行開始前に、前記乗りかごの走行方向と同方向に予め第１トルク指令値を印加するとともに、前記第１トルク指令値印加時の、前記トルク指令値、実トルク値、前記モータの電流値のトルク成分値、または前記モータの電流指令値のトルク成分値のいずれか１つを、第１の点検値として前記制御部内の記憶部に記憶し、
前記第１トルク指令値を印加させた状態で、前記ブレーキコイルの電流値を徐々に増加させるように制御することで前記ブレーキの制動力を徐々に開放して前記乗りかごを走行開始させるとともに、前記走行開始時の前記ブレーキコイルの電流値、または前記走行開始時の前記ブレーキコイルの電流指令値を、第２の点検値として前記記憶部に記憶し、
前記記憶部に記憶した前記第１の点検値および前記第２の点検値と、前記アンバランストルク演算手段により演算された前記走行開始時における前記アンバランストルクの値との整合性をチェックすることにより、前記ブレーキの制動力を診断する
エレベータの制御装置。
【請求項２】
請求項１に記載のエレベータの制御装置において、
前記アンバランストルク演算手段は、前記乗りかごが走行中における前記モータへの前記トルク指令値に基づいて、前記走行開始時における前記アンバランストルクを演算する
エレベータの制御装置。
【請求項３】
請求項１または２に記載のエレベータの制御装置において、
前記乗りかご内の積載量を検出する荷重検出器をさらに備え、
前記アンバランストルク演算手段は、前記トルク指令値の代わりに、前記荷重検出器が検出する前記乗りかご内の積載量に基づいて、前記走行開始時における前記アンバランストルクを演算し、
前記制御部は、前記荷重検出器が検出する前記乗りかご内の積載量に応じて、前記第１トルク指令値を設定する
エレベータの制御装置。
【請求項４】
請求項３に記載のエレベータの制御装置において、
前記モータ制御部は、前記乗りかごが走行開始後に、前記トルク指令値を、前記第１トルク指令値から、前記アンバランストルクを軽減させるようにした第２トルク指令値に変更する
エレベータの制御装置。
【請求項５】
請求項１から４のいずれか１項に記載のエレベータの制御装置において、
前記制御部は、前記乗りかごが昇降路の予め設定した階よりも下方に存在する場合にのみ、前記ブレーキの制動力の診断を実施する
エレベータの制御装置。
【請求項６】
請求項１から５のいずれか１項に記載のエレベータの制御装置において、
前記制御部は、前記乗りかごの積載荷重が予め設定した値を超える積載状態にある場合にのみ、前記ブレーキの制動力の診断を実施する
エレベータの制御装置。
【請求項７】
請求項１から６のいずれか１項に記載のエレベータの制御装置において、
前記モータ制御部は、前記モータの速度を制御する速度制御系、または、前記モータの位置を制御する位置制御系を有し、前記乗りかごが走行開始後に前記トルク指令値を制御することで、前記乗りかごの走行を前記速度制御系または前記位置制御系により制御する
エレベータの制御装置。
【請求項８】
請求項７に記載のエレベータの制御装置において、
前記モータ制御部は、前記乗りかごの走行開始前および走行開始時に、前記速度制御系における速度指令値または前記位置制御系における位置指令値がゼロとなるように制御する
エレベータの制御装置。
【請求項９】
請求項７または８に記載のエレベータの制御装置において、
前記モータ制御部は、前記乗りかごが走行開始後の一定期間内は、前記一定期間経過後よりも、前記速度制御系または前記位置制御系の応答速度を大きく設定する
エレベータの制御装置。
【請求項１０】
請求項９に記載のエレベータの制御装置において、
前記モータ制御部は、前記乗りかごが走行開始してから、前記モータ制御部が非ゼロの速度指令値または位置指令値を出力するまで、または前記ブレーキシューが完全に吸引されるまでを、前記一定期間として設定する
エレベータの制御装置。
【請求項１１】
請求項１に記載のエレベータの制御装置において、用いられるエレベータの制御方法であって、
前記制御部において、
前記乗りかごの走行開始前に、前記乗りかごの走行方向と同方向に予め第１トルク指令値を印加するとともに、前記第１トルク指令値を、第１の点検値として前記制御部内の記憶部に記憶するステップと、
前記第１トルク指令値を印加させた状態で、前記ブレーキコイルの電流値を徐々に増加させるように制御することで前記ブレーキの制動力を徐々に開放して前記乗りかごを走行開始させるとともに、前記走行開始時の前記ブレーキコイルの電流値を、第２の点検値として前記記憶部に記憶するステップと、
前記記憶部に記憶した前記第１の点検値および前記第２の点検値と、前記アンバランストルク演算手段により演算された前記走行開始時における前記アンバランストルクの値との整合性をチェックすることにより、前記ブレーキの制動力を診断するステップと
を有するエレベータの制御方法。
【発明の詳細な説明】
【技術分野】
【０００１】
この発明は、エレベータの乗りかごを駆動する巻上機を制動するブレーキを診断するエレベータの制御装置およびエレベータの制御方法に関するものである。
【背景技術】
【０００２】
従来の一般的なトラクション方式のエレベータでは、乗りかごと釣り合い錘が、昇降路内において主ロープによって連結され、主ロープは巻上機につるべ式に掛けられている。ここで、巻上機は、綱車、モータ、およびブレーキによって構成されており、主ロープは、綱車に掛けられている。また、綱車はモータと連結されており、エレベータの制御装置の制御部は、モータの回転速度または回転位置を、エンコーダやレゾルバ等の回転センサによる検出値を基に制御することで、かごを滑らかに昇降させる。また、ブレーキは綱車の回転を制動する。
【０００３】
このようなトラクション方式のエレベータでは、乗りかごが停止中には、ブレーキによって綱車の回転を静止させ、かごを静止保持させている。また、乗りかごが走行中に何らかの異常を検出した場合には、ブレーキ制動によって乗りかごを緊急停止させる。
【０００４】
このように、ブレーキは、乗りかごを静止させるために必要であり、その制動力は、適正な状態に維持される必要がある。
【０００５】
このような、綱車を制動するブレーキを診断することができる従来のエレベータの制御装置としては、ブレーキコイルに電流を流してブレーキシューを吸引することによりブレーキ制動力を解除するタイプのブレーキを備え、このブレーキの制動力を、綱車の回転数を検出するエンコーダを利用して診断するものがある（例えば、特許文献１の第３頁第００１０段落、図１、図２参照）。
【０００６】
特許文献１のエレベータの制御装置では、まず、エレベータの運転モードを診断モードへ切り替えるとともに、乗りかご側と釣り合い錘側との間に重量の不均衡がある状態でかごを停止させている。そして、ブレーキコイルへの吸引電流を制御してブレーキ制動を徐々に開放し、エンコーダの回転によって、かごの移動を検知している。この結果、かごの走行開始時点における吸引電流から、ブレーキの制動力を測定することができる。
【先行技術文献】
【特許文献】
【０００７】
【特許文献１】国際公開番号ＷＯ２０１１／１０１９７８号公報
【発明の概要】
【発明が解決しようとする課題】
【０００８】
しかしながら、従来技術には、以下のような課題がある。
特許文献１のエレベータの制御装置では、ブレーキの制動力の測定を、乗客のいない診断モードにおいて実施するようにしている。このため、ブレーキの制動力の測定を常時行うことができなかった。
【０００９】
また、乗客が乗りかごに乗車した状態でブレーキの診断を実施するために、例えば、乗りかごの走行開始時にブレーキの制動力を測定しようとすると、ブレーキ解除時に乗りかごと釣り合い錘の重量差によるアンバランストルクによって、乗りかごが予期せぬ方向に動く可能性がある。このため、乗客が不安になったり、乗客の乗り心地に悪影響を与えたりするおそれがあった。
【００１０】
この発明は、上記のような課題を解決するためになされたものであり、乗りかご内の乗客の乗り心地を損なうことなく、診断モードでない通常運転時においてもブレーキの制動力を診断することができるエレベータの制御装置およびエレベータの制御方法を得ることを目的とする。
【課題を解決するための手段】
【００１１】
この発明に係るエレベータの制御装置は、回転可能な綱車と、綱車を駆動するモータと、綱車の回転を制動するブレーキとを備えて構成される巻上機を有し、綱車に巻き掛けられた主ロープにより吊り下げられた乗りかごと釣り合い錘を、巻上機を制御することにより昇降させるエレベータの制御装置であって、モータの回転位置または回転速度を検出する位置・速度検出器と、位置・速度検出器により検出されるモータの回転位置または回転速度が所望の応答となるようにモータへのトルク指令値を制御するモータ制御部と、ブレーキのブレーキシューを吸引するブレーキコイルの電流を制御することによりブレーキを制動または制動解除するブレーキ制御部とを有するとともに、乗りかごの通常運転時にブレーキの制動力を診断する制御部と、乗りかごの重量と釣り合い錘の重量とのアンバランストルクを、トルク指令値に基づいて演算するアンバランストルク演算手段とを備え、制御部は、乗りかごの走行開始前に、乗りかごの走行方向と同方向に予め第１トルク指令値を印加するとともに、第１トルク指令値を、第１の点検値として制御部内の記憶部に記憶し、第１トルク指令値を印加させた状態で、ブレーキコイルの電流値を徐々に増加させるように制御することでブレーキの制動力を徐々に開放して乗りかごを走行開始させるとともに、走行開始時のブレーキコイルの電流値を、第２の点検値として記憶部に記憶し、記憶部に記憶した第１の点検値および第２の点検値と、アンバランストルク演算手段により演算された走行開始時におけるアンバランストルクの値との整合性をチェックすることにより、ブレーキの制動力を診断するものである。
【００１２】
また、この発明に係るエレベータの制御方法は、この発明に係るエレベータの制御装置において用いられるエレベータの制御方法であって、制御部において、乗りかごの走行開始前に、乗りかごの走行方向と同方向に予め第１トルク指令値を印加するとともに、第１トルク指令値を、第１の点検値として制御部内の記憶部に記憶するステップと、第１トルク指令値を印加させた状態で、ブレーキコイルの電流値を徐々に増加させるように制御することでブレーキの制動力を徐々に開放して乗りかごを走行開始させるとともに、走行開始時のブレーキコイルの電流値を、第２の点検値として記憶部に記憶するステップと、記憶部に記憶した第１の点検値および第２の点検値と、アンバランストルク演算手段により演算された走行開始時におけるアンバランストルクの値との整合性をチェックすることにより、ブレーキの制動力を診断するステップとを有するものである。
【発明の効果】
【００１３】
この発明によれば、乗りかごを滑らかに走行開始させるために、乗りかごの走行方向に予めモータトルクを印加した上で、ブレーキの制動力を徐々に開放するようにしている。また、乗りかごの重量と釣り合い錘の重量とのアンバランストルクと、ブレーキ電流値およびモータトルク値との整合性をチェックすることにより、通常運転時におけるブレーキの制動力を診断するようにしている。この結果、乗りかご内の乗客の乗り心地を損なうことなく、診断モードでない通常運転時においてもブレーキの制動力を診断することができるエレベータの制御装置およびエレベータの制御方法を得ることができる。
【図面の簡単な説明】
【００１４】
【図１】本発明の実施の形態１に係るエレベータの制御装置を示す構成図である。
【図２】本発明の実施の形態１に係るエレベータの制御装置の動作を示す図である。
【図３】本発明の実施の形態２に係るエレベータの制御装置を示す構成図である。
【図４】本発明の実施の形態２に係るエレベータの制御装置の動作を示す図である。
【発明を実施するための形態】
【００１５】
以下、本発明におけるエレベータの制御装置およびエレベータの制御方法の好適な実施の形態について図面を用いて説明する。なお、各図において同一、または相当する部分については、同一符号を付して説明する。
【００１６】
実施の形態１．
図１は、本発明の実施の形態１に係るエレベータの制御装置を示す構成図である。図１において、綱車３には主ロープ４を介して、乗りかご１及び釣り合い錘２が吊り下げられている。主ロープ４は、例えば、複数本のロープ又は複数本のベルトにより構成されている。
【００１７】
綱車３はモータ６により駆動され、乗りかご１が昇降される。モータ６はその回転を制動するためのブレーキ７を有し、ブレーキ７は、ブレーキ制御部８ａにより制動及び、制動解除の動作が行われる。ブレーキ７はディスクブレーキやドラムブレーキ等により構成されており、ブレーキコイルの電流を制御することで制動及び、制動解除の動作が行われる。乗りかご１の走行時には、ブレーキ制御部８ａは、ブレーキコイルに電流を流して付勢し、ブレーキシューを吸引してブレーキ７の制動解除を行う。乗りかご１が停止中にはブレーキ７は制動状態となり、ブレーキコイルの電流はゼロである。
【００１８】
モータ６には位置・速度検出器５が接続されている。位置・速度検出器５はモータ６の位置または速度を検出するための検出器であり、一般的にエンコーダやレゾルバが用いられ、モータ６の回転量に応じたパルスや電圧が出力される。
【００１９】
制御部８は、前述のブレーキ制御部８ａと、モータ制御部８ｂとを有して構成される。モータ制御部８ｂは、モータ６の回転位置または回転速度を制御する装置であり、位置・速度検出器５により検出されたモータ６の回転位置、または回転速度が所望の応答となるように制御する装置である。一般的に、モータ６の回転位置を制御する場合は位置制御系が構成され、モータ６の回転速度を制御する場合は速度制御系が構成される。
【００２０】
図２は、本発明の実施の形態１に係るエレベータの制御装置の動作を示す図である。以下では、モータ６の制御に速度制御系を用いた場合について、図２を用いて本実施の形態１のエレベータの制御装置の動作について説明する。
【００２１】
図２の上段は、ブレーキコイルに流れるブレーキ電流の時間波形を示している。また、図２の中段は、モータ制御部８ｂで演算されるトルク指令値を示している。ここで、モータ制御部８ｂは、乗りかご１の速度が所望の速度となるようなモータ６のトルク指令値を演算し、モータ６を駆動する。また、図２の下段は、乗りかご１の速度指令値を示しており、乗りかご１の速度が乗りかご１の速度指令値と一致するように、モータ６が駆動される。
【００２２】
ＳＴＥＰ１：
図２に示す時刻ｔ０において、エレベータの起動指令が入力される。ここで、エレベータの起動指令は、乗り場ボタンによるかご呼びや、乗りかご１内での行き先ボタンにより入力される。エレベータの起動指令が入力されると、モータ制御部８ｂは第１トルク指令値τｒ０を出力し、モータ６は、トルクτｒ０を発生する。
【００２３】
このとき、第１トルク指令値τｒ０はかごの走行方向と、同方向のトルクを発生する。つまり、モータ制御部８ｂは、行き先階が現在の停止階よりも上方の場合には、乗りかご１が上昇する方向にトルクを発生し、行き先階が現在の停止階よりも下方の場合には、乗りかご１が下降する方向にトルクを発生する。また、第１トルク指令値τｒ０の大きさは、ブレーキ７のブレーキ制動力が開放された時に、行き先階方向に対して逆走しないように、例えば、上昇時は想定される乗りかご１内の最大積載量を考慮するようにし、下降時は想定される乗りかご１内の最小積載量を考慮するようにする。このとき、制御部８は、第１トルク指令値τｒ０を、第１の点検値として制御部８内の記憶部（図示せず）に記憶しておく。
【００２４】
ＳＴＥＰ２：
ブレーキ制御部８ａは、時刻ｔ０からブレーキ電流を増加させ、ブレーキ制動力を弱める。ブレーキ制動力が弱まった結果、ブレーキ制動力が、乗りかご１の重量と釣り合い錘２の重量のアンバランストルクとトルクτｒ０との和よりも小さくなったタイミングで、綱車３が回転を始めて、乗りかご１が走行開始する。このタイミングは、図２において時刻ｔ１となる。このとき、制御部８は、時刻ｔ１におけるブレーキ電流Ｉｂｋを、第２の点検値として制御部８内の記憶部に記憶しておく。
【００２５】
なお、乗りかご１が走行開始する時刻ｔ１は、位置・速度検出器５の出力信号により検出することができる。例えば、位置・速度検出器５にエンコーダを採用する場合は、パルス変化が予め定めた既定値を超えた場合に、乗りかご１が走行開始したと検出する。このとき、モータトルクは、乗りかご１が行き先階方向に移動するように印加されているため、乗りかご１は行き先階方向に移動する。なお、時刻ｔ０からブレーキ電流を増加させる際に、その増加率が小さくなるように制御し、徐々にブレーキ電流を増加させるようにしてもよく、これによって、時刻ｔ１でのブレーキ電流Ｉｂｋをより精度良く検出することができる。
【００２６】
ＳＴＥＰ３：
次に、ブレーキ電流Ｉｂｋを記憶したタイミングと同時または直後の時刻ｔ１（以下、単に「時刻ｔ１」という）において、モータ制御部８ｂは、速度制御系の動作を開始させる。このとき、速度制御系は、速度指令値を生成し、生成した速度指令値にモータ６の回転速度が追従するようなトルク指令値を演算し、モータ６を制御する。
【００２７】
また、時刻ｔ１において、ブレーキ制御部８ａは、ブレーキ７の制動を完全に開放するためにブレーキ電流を増加させ、ブレーキ７が完全に吸引された後、吸引状態を保持するための保持電流に切り替える。通常、保持電流は吸引時の電流よりも小さな値となる。
【００２８】
速度指令値の例として、図２の下段に示すように、時刻ｔ１から乗りかご１の走行を開始するような速度指令値とする。図２では、乗りかご１の加速度が、時刻ｔ１から一定になるような滑らかに増速させる速度指令値を出力している。
【００２９】
ＳＴＥＰ４：
乗りかご１の走行が終了し、行き先階に停止後、ブレーキ制御部８ａは、ブレーキ電流をゼロまで減少させ、ブレーキ７の制動により、乗りかご１を静止保持させる。その後、モータ制御部８ｂは、トルク指令値をゼロとして、モータ６の動作を停止させる。
【００３０】
ＳＴＥＰ５：
モータ制御部８ｂは、乗りかご１が走行中のトルク指令値に基づいて、エレベータの走行開始時の乗りかご１と釣り合い錘２の重量アンバランストルクを演算する。これは、例えば図２に示すように、乗りかご１が一定速度で走行中の期間ΔＴ１でのトルク指令値を用いて演算することができる。または、乗りかご１が行き先階に停止してトルク指令がゼロとなるまでの期間ΔＴ２でのトルク指令値を用いてもよい。
【００３１】
期間ΔＴ１におけるトルク指令値は、乗りかご１と釣り合い錘２との重量アンバランストルクに、乗りかご１が走行時のロストルクと、乗りかご１位置の変化による主ロープ４や制御ケーブル等の重量変化分とを加えたものとなっている。このため、例えば、期間ΔＴ１でのトルク指令値の平均値から、前記ロストルクと主ロープ４や制御ケーブル等の重量変化分を減じたものを、乗りかご１と釣り合い錘２の重量アンバランストルクとして演算する。なお、走行時のロストルクは、予め既定の値とするか、走行時に計測あるいは同定したものを用いる。また、主ロープ４や制御ケーブル等の重量変化分は、それらの単位重量値は既知であるため、乗りかご１の移動距離と前記単位重量から演算により求めることができる。
【００３２】
期間ΔＴ２におけるトルク指令値は、乗りかご１と釣り合い錘２の重量アンバランストルクに、乗りかご１の位置の変化による主ロープ４や制御ケーブル等の重量変化分を加えたものとなっている。このため、例えば、期間ΔＴ２でのトルク指令値の平均値から、主ロープ４や制御ケーブル等の重量変化分を減じたものを、乗りかご１と釣り合い錘２の重量アンバランストルクとして演算する。
【００３３】
ＳＴＥＰ６：
次に、このようにして求めた乗りかご１と釣り合い錘２の重量アンバランストルクと、記憶部に記憶した第１トルク指令値τｒ０（第１の点検値）と、ブレーキ電流Ｉｂｋ（第２の点検値）との整合性をチェックすることにより、ブレーキ制動力が正常か否かを判定する。具体的には、以下の手順でチェックする。
【００３４】
まず、乗りかご１が走行開始した時点（時刻ｔ１に相当）でのブレーキ制動力を、ブレーキ電流Ｉｂｋから求める。これは、事前に測定しておいた、ブレーキ電流とブレーキ制動力との関係に基づいて求める。例えば、ブレーキ電流に対応付けられたブレーキ制動力のテーブルを参照することによって求めてもよいし、ブレーキ電流からブレーキ制動力への換算式によって求めてもよい。なお、エレベータの保守時に、ブレーキ電流とブレーキ制動力の関係を測定し、更新するようにしてもよい。
【００３５】
このようにして求めた重量アンバランストルクと第１トルク指令値τｒ０の和は、ブレーキ制動力が正常である場合には、ブレーキ制動力と釣り合っているはずである。よって、重量アンバランストルクと第１トルク指令値τｒ０との和を求め、更に、その和とブレーキ電流から求めたブレーキ制動力との差を求め、この差が基準範囲内である場合には、ブレーキ制動力が正常であると判定する。一方、この差が基準範囲を外れる場合には、ブレーキ制動力に異常があると判定する。
【００３６】
ブレーキ制動力が異常と判定された場合には、エレベータのサービス停止や、保守会社への通報等の措置をとる。
【００３７】
このように、乗りかご１の走行方向にモータトルクを印加し、乗りかご１の走行開始を検出すると同時に速度指令値を出力して乗りかご１を走行させるようにしたことで、乗りかご１の動作と同時に走行開始され、しかも、乗りかご１の走行開始検出時の動きは乗りかご１の走行方向となるため、乗りかご１の走行開始検出時の動きから乗りかご１の走行へ滑らかに繋げることができる。
【００３８】
以上のように、実施の形態１によれば、乗りかごが走行方向と逆方向に動くことがなくなるために、乗りかご内の乗客の乗り心地を損なうことなく、ブレーキの制動力を診断することができる。
【００３９】
また、ブレーキ制動力の診断モードに移行せずに、通常サービス中にブレーキ制動力の計測が行えるため、エレベータのサービス低下を発生させることなく、任意の走行タイミングでブレーキ制動力を測定することができる。例えば、走行毎にブレーキ制動力の計測を行うことができるため、より早いタイミングでブレーキ制動力の異常を検出することが可能となり、ブレーキ制動力の異常に起因する危険動作を未然に防止することが出来る。
【００４０】
また、走行開始時における乗りかごと釣り合い錘のアンバランストルクを、乗りかごが走行中のトルク指令値に基づいて演算することができるため、安価に実現できる。
【００４１】
なお、ＳＴＥＰ２において、乗りかご１の走行開始の検出を位置・速度検出器５によって検出したが、モータ６の誘起電圧の変化によって検出してもよいし、主ロープ４の移動量を計測することによって検出してもよい。また、乗りかご１の速度や加速度を直接検出することによって検出してもよい。
【００４２】
また、ＳＴＥＰ３において、乗りかご１の速度指令値として、時刻ｔ１以降の微速走行時間を長めにとるようにしてもよい。また、位置・速度検出器５で検出された速度と滑らかに繋がるように速度指令値を出力するようにしてもよい。
【００４３】
また、本実施の形態１では、モータ制御部８ｂが速度制御系を構成する場合について述べたが、位置制御系を構成する場合についても同様の方法を用いて実施することができる。このとき、ＳＴＥＰ３では、速度制御系の替わりに位置制御系を動作し、位置制御系は位置指令値を生成する。また、その他の任意の制御方法を用いることもできる。
【００４４】
また、ＳＴＥＰ３において、時刻ｔ１から一定期間だけ、位置制御系または速度制御系の応答速度を標準的な応答速度よりも大きく設定するようにしてもよい。例えば、位置制御系または速度制御系が、ＰＩ制御により構成されている場合は、比例ゲインまたは積分ゲインの値によって応答速度を調整することができるため、これらの値を変化させる。このようにすることで、ＳＴＥＰ３での制御系動作時において、指令値への追従性能が上がるため、より乗り心地を向上させることができる。
【００４５】
また、ＳＴＥＰ５において、エレベータの走行開始時の乗りかご１と釣り合い錘２の重量アンバランストルクの演算は、図２に示す期間ΔＴ１と期間ΔＴ２の両方で実施して、平均をとるようにしてもよい。このようにすることで、演算精度を向上させることができる。さらに、乗りかご１が加減速中の間のトルク指令値から求めるようにしてもよい。このとき、乗りかご１の加減速度とトルク指令値から、乗りかご１内の積載荷重を含むエレベータの慣性モーメントを求め、事前に求めた乗りかご１内の積載荷重を含まない場合のエレベータの慣性モーメントとの差に基づいて、乗りかご１内の積載荷重を演算し、乗りかご１と釣り合い錘２の重量アンバランストルクを演算する。
【００４６】
また、重量アンバランストルクの演算に、トルク指令値を用いたが、実トルクを計測しても良いし、モータ６の電流値からトルク成分を抽出して用いてもよい。
また、モータ制御部８ｂが、トルク指令値に基づいてモータ６の回転位置または回転速度が所望の応答となるようにモータ６の電流を制御するケースでは、前記電流を制御する際に用いるモータ６への電流指令値のトルク成分を抽出して、トルク指令値の代わりに用いてもよい。
同様に、前述の各ＳＴＥＰにおけるトルク指令値の代わりに、モータ６の実トルク値、モータ６の電流値のトルク成分値、またはモータ６の電流指令値のトルク成分値のいずれか１つを用いてもよい。
例えば、ＳＴＥＰ１においては、第１の点検値として、時刻ｔ０における、モータ６の実トルク値、モータ６の電流値のトルク成分値、またはモータ６の電流指令値のトルク成分値のいずれか１つを用いることが可能である。
また、ブレーキ制御部８ａがブレーキコイルの電流を制御する際に、電流制御系を構成する場合には、前述の各ＳＴＥＰにおいて、ブレーキ電流値として、ブレーキコイルの電流値の代わりに、電流制御系で用いるブレーキコイルの電流指令値を用いてもよい。
例えば、ＳＴＥＰ１においては、第２の点検値として、時刻ｔ１における、走行開始時のブレーキコイルの電流指令値を用いることが可能である。
【００４７】
実施の形態２．
先の実施の形態１では、乗りかご１が走行中におけるモータ６へのトルク指令値に基づいて、走行開始時におけるアンバランストルクを演算する方法について説明した。これに対して、本実施の形態２では、乗りかご１内の積載荷重を測定する荷重検出器を備え、荷重検出器３１が検出する乗りかご１内の積載量に基づいて、走行開始時におけるアンバランストルクを演算する方法について説明する。また、乗りかご１の走行方向に予め印加する第１トルク指令値τｒ０を、荷重検出器が検出する乗りかご１内の積載量に応じて設定する方法についても説明する。
【００４８】
図３は、本発明の実施の形態２に係るエレベータの制御装置を示す構成図である。図３に示す本実施の形態２のエレベータの制御装置は、荷重検出器３１をさらに備えていることを特徴としている。また、本実施の形態２の制御部３８は、荷重検出器３１が検出する乗りかご１内の積載量に基づいて、走行開始時におけるアンバランストルクを演算する。図１と同じ符号を記したその他の構成および機能は、先の実施の形態１と同様である。
【００４９】
荷重検出器３１は、乗りかご１内の積載荷重を検出する装置であり、例えば床下に設置したロードセル等で実現できる。また、主ロープ４の張力や、伸び量を計測することによっても実現できる。
【００５０】
図４は、本発明の実施の形態２に係るエレベータの制御装置の動作を示す図である。以下、ブレーキ制動力の計測手順について図４を用いて説明する。
【００５１】
ＳＴＥＰ１：
図４に示す時刻ｔ０において、エレベータの起動指令が入力される。エレベータの起動指令は、乗り場ボタンによるかご呼びや、乗りかご１内での行き先ボタンにより入力される。次に、荷重検出器３１によって乗りかご１内の積載荷重が計測され、モータ制御部３８ｂに送られる。モータ制御部３８ｂは、第１トルク指令値τｒ０’を出力し、モータ６はトルクτｒ０’を発生する。
【００５２】
このときの、第１トルク指令値τｒ０’の大きさは、ブレーキ７の制動の開放時に、乗りかご１が行き先階方向に走行する大きさのトルクを発生するように、荷重検出器３１によって計測された乗りかご１内の荷重値に基づいて設定される。例えば、第１トルク指令値τｒ０’の大きさは、乗りかご１と釣り合い錘２の重量アンバランストルクを相殺し、かつ、乗りかご１の行き先階方向に積載量換算で定格積載量の１０〜２０％程度のトルクが加わるような大きさとする。
【００５３】
このとき、制御部３８は、第１トルク指令値τｒ０’と乗りかご１と釣り合い錘２の重量アンバランストルクとの和、つまり、ブレーキ７によって保持されているトルクの値であるブレーキトルクτｂｋを、第１の点検値として制御部３８内の記憶部（図示せず）に記憶しておく。
【００５４】
ＳＴＥＰ２：
先の実施の形態１と同様である。
【００５５】
ＳＴＥＰ３：
先の実施の形態１と同様の動作をさせてもよいが、以下の動作を追加してもよい。
時刻ｔ１において、モータ制御部３８ｂは、トルク指令値を、第１トルク指令値τｒ０’から、乗りかご１と釣り合い錘２の重量アンバランストルクを軽減させるようにした第２トルク指令値τｒ１に変更し、速度制御系を動作させる。なお、トルクτｒ１は、乗りかご１と釣り合い錘２の重量アンバランストルクと釣り合う大きさとしてもよい。このとき、モータトルクにより乗りかご１と釣り合い錘２の重量アンバランストルクは相殺される。その後の動作は、先の実施の形態１と同様である。
【００５６】
ＳＴＥＰ４：
先の実施の形態１と同様である。
【００５７】
ＳＴＥＰ５：
省略することができる。
【００５８】
ＳＴＥＰ６：
ＳＴＥＰ１で記憶したブレーキ７が保持していたブレーキトルクτｂｋ（第１の点検値）と、ＳＴＥＰ２で記憶したブレーキ電流Ｉｂｋ（第２の点検値）との整合性チェックし、ブレーキ７の制動力が正常か否かを判定する。具体的には、先の実施の形態１と同様の手順を用いることによって、乗りかご１の動作を開始した時点でのブレーキ制動力をブレーキ電流Ｉｂｋから求める。そして、ブレーキ制動力とＳＴＥＰ１で記憶したブレーキトルクτｂｋとの差を求め、この差が基準範囲内である場合には、ブレーキ制動力が正常であると判定する。また、差が基準範囲を外れる場合には、ブレーキ制動力に異常があると判定する。なお、ブレーキトルクτｂｋは、重量アンバランストルクと、第１トルク指令値τｒ０’の和であり、本ステップは実質的に、先の実施の形態１のＳＴＥＰ６と同様の判定を行っている。
【００５９】
ブレーキ制動力が異常と判定された場合には、エレベータのサービス停止や、保守会社への通報等の措置をとる。
【００６０】
以上のように、実施の形態２によれば、ＳＴＥＰ１で荷重検出器の検出値を利用して第１トルク指令値τｒ０’を決定しているために、乗りかご内の積載重量に関わらず、例えば、乗りかごと釣り合い錘の重量アンバランストルクを相殺し、かつ、乗りかごの走行方向（行き先階方向）に積載量換算で定格積載量の１０〜２０％程度のトルクが加わるような大きさの第１トルク指令値τｒ０の大きさとすることができる。これにより、ブレーキ制動力が開放されて乗りかごが動き出した瞬間（時刻ｔ１）での乗りかごの動き出し速度を、常に小さくすることができるため、先の実施の形態１と比較して、乗り心地をより安定的に改善することができる。
【００６１】
また、荷重検出器の検出値を用いることで、ＳＴＥＰ３において、時刻ｔ１において、モータ制御部は、トルク指令値を、乗りかごと釣り合い錘の重量アンバランストルクを軽減する第２トルク指令値τｒ１に変更し、速度制御系を動作させることができる。これにより、モータトルクと乗りかごと釣り合い錘の重量アンバランストルクをさらに均衡させることができるため、ブレーキ制動力が開放された直後の乗りかごの動き出し速度をより小さくすることができ、先の実施の形態１と比較して、乗り心地をさらに改善することができる。また、ＳＴＥＰ５を省略することができるため、制御部の演算量を削減することができる。
【００６２】
なお、本実施の形態２におけるＳＴＥＰ５およびＳＴＥＰ６は、先の実施の形態１と同様の方法とすることもできる。この場合、ＳＴＥＰ１では、ブレーキトルクτｂｋの代わりに第１トルク指令値τｒ０を記憶しておき、ブレーキトルクτｂｋ相当の値をトルク指令値から換算して求めることとなる。このため、荷重検出器３１の検出誤差が比較的大きい場合には、先の実施の形態１で述べた方法の方が、より精度よくブレーキ制動力の計測を行うことができる。
【００６３】
また、本実施の形態２では、モータ制御部３８ｂが速度制御系を構成する場合について述べたが、位置制御系を構成する場合についても同様な方法で実施することができる。このとき、ＳＴＥＰ３では速度制御系の替わりに位置制御系を動作し、位置制御系は位置指令値を生成する。また、モータ６の制御は、その他の任意の制御方法を用いることができる。
【００６４】
また、先の実施の形態１と同様に、ＳＴＥＰ３において、時刻ｔ１から一定期間だけ、位置制御系または速度制御系の応答速度を標準的な応答速度よりも大きく設定してもよい。このようにすることで、ＳＴＥＰ３での制御系動作時において、指令値への追従性能が上がるため、より乗り心地を向上させることができる。
【００６５】
実施の形態３．
本実施の形態３では、乗りかご１の走行開始時において、速度制御系または位置制御系における指令値がゼロとなるように制御する方法について説明する。これにより、ブレーキ７の制動力開放時の乗りかご１の走行開始速度を抑えて、乗り心地をさらに向上させることができる。
【００６６】
本実施の形態３は、先の実施の形態１または先の実施の形態２において、動作を一部変更したものである。以下では、先の実施の形態１に対する相違点を中心に説明する。
【００６７】
ＳＴＥＰ１：時刻ｔ０でエレベータの起動指令が入力されると、モータ制御部８ｂは、第１トルク指令値τｒ０を出力するとともに、速度制御系を動作させる。このとき、速度制御系の速度指令値はゼロとする。なお、位置制御系を用いる場合は位置制御系を動作させ、位置指令値はゼロとする。つまり、ブレーキ７の制動力が解除された後に、乗りかご１が静止するようにモータ制御部８ｂを動作させる。その他は、先の実施の形態１と同様である。
【００６８】
ＳＴＥＰ２の動作は、先の実施の形態１と同様である。ただし、速度制御系または位置制御系が動作しているため、ブレーキ制動力が小さくなって乗りかご１が動作し始めた時点で、乗りかご１の動作を抑制する、つまり、乗りかご１を静止保持するように制御系が動作する。
【００６９】
ＳＴＥＰ３：速度制御系または位置制御系は、ＳＴＥＰ１で動作させているので、継続して動作させる。そして、先の実施の形態１と同様に、速度制御系の速度指令値または位置制御系の位置指令値を出力する。
【００７０】
ＳＴＥＰ４〜ＳＴＥＰ６の動作は、先の実施の形態１と同様である。
【００７１】
本実施の形態３では、ブレーキ７の開放前に、速度制御系または位置制御系を動作させ、その指令値をゼロで動作させることで、ブレーキ７の開放時の乗りかご１の動き出し速度を抑制することが可能となり、より乗り心地を向上させることができる。これにより、例えばトルクτｒ０が大きすぎた場合においても、走行開始時の動きをより滑らかにでき、乗り心地が向上する。
【００７２】
なお、ＳＴＥＰ１において、速度制御系または位置制御系を動作させるため、ＳＴＥＰ１において第１トルク指令値τｒ０の値をゼロとしてもよい。この場合、ブレーキ７の開放時に、乗りかご１が行き先階方向と反対側に動きだす場合もあるが、速度制御系または位置制御系が動作しているため、乗りかご１の動き出しを抑制することができる。
【００７３】
また、ＳＴＥＰ１において、速度制御系または位置制御系の応答速度を、標準的な値よりも大きく設定することで、ブレーキ７の開放時の乗りかご１の動き出しを抑制することができる。ただし、制御系の応答速度を大きくすると、制御系が不安定になりやすいため、ＳＴＥＰ３において、一定時間経過後、または非ゼロの速度指令値または位置指令値を出力したタイミング、またはブレーキシューが完全に吸引されたタイミングで制御系の応答速度を標準的な大きさに戻すようにしてもよい。
【００７４】
また、本実施の形態３では、非ゼロの速度指令値または位置指令値が出力されるまでは、かごを静止保持させる制御が働くため、ＳＴＥＰ３において、速度指令値または位置指令値を出力するタイミングを遅らせることが出来る。
【００７５】
なお、本実施の形態３では、先の実施の形態１に対して相違点を中心に説明したが、先の実施の形態２においても同様に適用可能である。
【００７６】
また、モータ６の制御に速度制御系と位置制御系を用いた場合について説明したが、任意の制御方法を用いることができる。
【００７７】
実施の形態４．
本実施の形態４は、ブレーキ制動力の計測を行う条件を、乗りかご１の位置によって決定するものである。本実施の形態４では、乗りかご１が、最上階付近以外の位置にある場合にのみブレーキ制動力の計測を行う。例えば、乗りかご１位置が最上階以外の場合、または予め設定した階よりも下方にある場合、または最下階にある場合に行う。これにより、ブレーキ７の開放時の乗りかご１の動き出し速度を抑えることができ、乗り心地が向上する。本実施の形態４は、先の実施の形態１〜３に対して適用可能である。
【００７８】
一般的に、乗りかご１と釣り合い錘２の重量差による走行開始時の乗りかご１の振動は、重量差が同じ場合でも、乗りかご１位置が最上階に近づくにつれて大きくなる傾向がある。これは乗りかご１が最上階に近い方が、乗りかご１上部から巻上機までの主ロープ４の長さが短くなり、当該部分の主ロープ４の剛性が大きくなることに起因する。このため、乗り心地が悪くなりやすい最上階付近を除外してブレーキ制動力の診断を行うことによって、エレベータの乗り心地を悪化させずにブレーキ制動力の診断を行うことが出来る。
【００７９】
なお、据付時、またはエレベータのサービス時にブレーキ制動力の計測を全階床で実施し、時刻ｔ１での乗りかご１の動き出し速度に基づいて乗り心地を判定し、動き出し速度が基準値を下回る階のみでブレーキ制動力の計測を行うようにしてもよい。また、乗りかご１の動き出し速度を計測する替わりに、乗りかご１内の加速度を計測するようにしてもよい。
【００８０】
実施の形態５．
本実施の形態５は、ブレーキ制動力の計測を行う条件を乗りかご１の積載荷重によって決定するものである。本実施の形態５では、乗りかご１積載荷重がゼロ付近以外の積載状態にある場合にのみブレーキ制動力の計測を行う。例えば、乗りかご１の積載荷重が、定格積載荷重の半分、または予め設定した積載荷重値よりも大きい場合に行う。これにより、ブレーキ７の開放時の乗りかご１の動き出し速度を抑えることができ、乗り心地が向上する。本実施の形態５は、先の実施の形態２〜４に対して、乗りかご１の荷重検出器３１を有する場合に適用可能である。  
【００８１】
例えば、先の実施の形態２のＳＴＥＰ１において、乗りかご１と釣り合い錘２の重量アンバランストルクを相殺し、かつ、かごの走行方向に積載量換算で定格積載量のＸ％（Ｘは任意の値）のトルクが加わるような大きさのトルク指令値の大きさを加えたとき、乗りかご１の積載荷重が小さい方が、ブレーキ７の開放時のかご振動が大きくなる傾向がある。これは、乗りかご１の積載荷重が小さい方が、巻上機で駆動する部分の慣性が小さいため、重量アンバランストルクに対する乗りかご１の動きだし速度が大きくなることに起因する。
【００８２】
このため、乗り心地が悪くなりやすい積載荷重がゼロ付近（乗客が少ない場合に相当）を除外してブレーキ制動力の計測を行うことによって、エレベータの乗り心地を悪化させずにブレーキ制動力の計測を行うことが出来る。
【００８３】
なお、据付時または、エレベータのサービス中に、ブレーキ制動力の計測を積載荷重が異なる条件で実施し、時刻ｔ１での乗りかご１の動き出し速度に基づいて乗り心地を判定し、動き出し速度が基準値を下回る積載荷重の場合のみ、ブレーキ制動力の計測を行うようにしてもよい。また、前記において、乗りかご１の動き出し速度を計測する替わりに、乗りかご１内の加速度を計測するようにしてもよい。
【符号の説明】
【００８４】
１  乗りかご、２  釣り合い錘、３  綱車、４  主ロープ、５  位置・速度検出器、６  モータ、７  ブレーキ、８、３８  制御部、８ａ、３８ａ  ブレーキ制御部、８ｂ、３８ｂ  モータ制御部、３１  荷重検出器。
【図１】
2015127261.tif 000003
【図２】
2015127261.tif 000004
【図３】
2015127261.tif 000005
【図４】
2015127261.tif 000006